【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
二つの面を有し、一方の面にハニカム形状のスリットが形成されるとともに、他方の面に前記スリットと連通し、成形原料を導入するための裏孔が形成された口金基体を備え、前記裏孔に導入した前記成形原料を前記スリットから押出してハニカム構造体を成形するハニカム構造体成形用口金であって、
前記口金基体が、二つの板状部材を積層して接合した口金前駆体に前記スリットと前記裏孔とが形成されたものであり、
前記口金前駆体を構成する前記二つの板状部材が、前記口金基体の前記一方の面側となる、少なくとも炭化タングステンを含む炭化タングステン基超硬合金から構成された第一部材と、前記口金基体の前記他方の面側となる、オーステナイト相の冷却によってマルテンサイト変態、ベイナイト変態、及びパーライト変態の三つの相変態のうちの少なくとも一つの相変態を起こし得る金属体から構成された第二部材とであり、前記口金前駆体を構成する前記二つの板状部材の、互いの接合面における引張、及び圧縮応力が１０００ＭＰａ以下であるハニカム構造体成形用口金。
【請求項２】
前記第一部材を構成する前記炭化タングステン基超硬合金が、炭化タングステンを、鉄、コバルト、ニッケル、チタン、及びクロムからなる群から選ばれる少なくとも一つの金属で焼結したものである請求項１に記載のハニカム構造体成形用口金。
【請求項３】
前記第二部材を構成する前記金属体が、鉄、チタン、ニッケル、銅、及びアルミニウムからなる群から選ばれる少なくとも一つの金属を含むものである請求項１又は２に記載のハニカム構造体成形用口金。
【請求項４】
前記第一部材の厚さに対する、前記第二部材の厚さの割合が、０．１〜２００である請求項１〜３のいずれかに記載のハニカム構造体成形用口金。
【請求項５】
前記口金基体が、前記口金前駆体を構成する前記第一部材と前記第二部材との間に配設された及び／又は前記第一部材と前記第二部材との少なくとも一方の内部に浸透したろう材層をさらに有する請求項１〜４のいずれかに記載のハニカム構造体成形用口金。
【請求項６】
前記ろう材層を構成するろう材が、銅、銀、金、ニッケル、及びアルミニウムからなる群から選ばれる少なくとも一つの金属を含むものである請求項５に記載のハニカム構造体成形用口金。
【請求項７】
前記ろう材が、前記第一部材と第二部材との少なくとも一方の組織の内部に浸透する材料からなるものである請求項５又は６に記載のハニカム構造体成形用口金。
【請求項８】
二つの面を有する板状の口金前駆体の一方の面にハニカム形状のスリットを形成するとともに、その他方の面に成形原料を導入するための裏孔を形成して、ハニカム構造体を押出成形するためのハニカム構造体成形用口金を製造するハニカム構造体成形用口金の製造方法であって、
少なくとも炭化タングステンを含む炭化タングステン基超硬合金から構成された板状の第一部材と、オーステナイト相の冷却によってマルテンサイト変態、ベイナイト変態、及びパーライト変態の三つの相変態のうちの少なくとも一つの相変態を起こし得る金属体から構成された板状の第二部材とを、前記第二部材がオーステナイト変態を起こす温度以上に加熱した状態で積層して接合し、接合した前記第一部材と前記第二部材とを、所定の降温速度で、前記第二部材が起こし得る前記三つの相変態のうちの前記少なくとも一つの相変態を開始する温度まで降温することにより、前記第一部材と前記第二部材との接合面に残留する引張、及び圧縮応力が１０００ＭＰａ以下となるように前記第二部材を構成する前記金属体に前記三つの相変態のうちの前記少なくとも一つの相変態を起こさせて、前記第一部材と前記第二部材とが積層して接合した前記口金前駆体を得るハニカム構造体成形用口金の製造方法。
【請求項９】
前記第一部材と前記第二部材とを前記少なくとも一つの相変態を開始する温度まで降温する際の降温速度が、０．１〜１００℃／ｍｉｎである請求項８に記載のハニカム構造体成形用口金の製造方法。
【請求項１０】
得られた前記口金前駆体に、前記接合面に残留する引張、及び圧縮応力が５００ＭＰａ以下となるように、オーステナイト変態を起こす温度以下の温度領域で、０．１〜１００℃／ｍｉｎの速度で昇温又は冷却する再熱処理を、さらに行う請求項８又は９に記載のハニカム構造体成形用口金の製造方法。
【請求項１１】
前記第一部材と前記第二部材とを積層する際に、その間に箔状のろう材を配設する請求項８〜１０のいずれかに記載のハニカム構造体成形用口金の製造方法。
【請求項１２】
前記ろう材として、前記第一部材と第二部材との少なくとも一方の組織の内部に浸透する材料からなるものを用いる請求項１１に記載のハニカム構造体成形用口金の製造方法。
【請求項１３】
前記第一部材と前記第二部材とを接合する前に、前記裏孔の少なくとも一部及び／又は前記スリットの一部を、前記第一部材と前記第二部材との少なくとも一方に形成する請求項８〜１２のいずれかに記載のハニカム構造体成形用口金の製造方法。
【請求項１４】
前記第一部材と前記第二部材とを積層して接合した前記口金前駆体を得た後に、前記第一部材側にスリットを形成するとともに、前記第二部材側に裏孔を形成する請求項８〜１２のいずれかに記載のハニカム構造体成形用口金の製造方法。
【手続補正２】
【補正対象書類名】明細書
【補正対象項目名】００１３
【補正方法】変更
【補正の内容】
【００１３】
［６］前記ろう材層を構成するろう材が、銅、銀、金、ニッケル、及びアルミニウムからなる群から選ばれる少なくとも一つの金属を含むものである前記［５］に記載のハニカム構造体成形用口金。
［７］前記ろう材が、前記第一部材と第二部材との少なくとも一方の組織の内部に浸透する材料からなるものである前記［５］又は［６］に記載の炭化タングステン基超硬合金接合体の製造方法。
【手続補正３】
【補正対象書類名】明細書
【補正対象項目名】００１４
【補正方法】変更
【補正の内容】
【００１４】
［８］二つの面を有する板状の口金前駆体の一方の面にハニカム形状のスリットを形成するとともに、その他方の面に成形原料を導入するための裏孔を形成して、ハニカム構造体を押出成形するためのハニカム構造体成形用口金を製造するハニカム構造体成形用口金の製造方法であって、少なくとも炭化タングステンを含む炭化タングステン基超硬合金から構成された板状の第一部材と、オーステナイト相の冷却によってマルテンサイト変態、ベイナイト変態、及びパーライト変態の三つの相変態のうちの少なくとも一つの相変態を起こし得る金属体から構成された板状の第二部材とを、前記第二部材がオーステナイト変態を起こす温度以上に加熱した状態で積層して接合し、接合した前記第一部材と前記第二部材とを、所定の降温速度で、前記第二部材が起こし得る前記三つの相変態のうちの前記少なくとも一つの相変態を開始する温度まで降温することにより、前記第一部材と前記第二部材との接合面に残留する引張、及び圧縮応力が１０００ＭＰａ以下となるように前記第二部材を構成する前記金属体に前記三つの相変態のうちの前記少なくとも一つの相変態を起こさせて、前記第一部材と前記第二部材とが積層して接合した前記口金前駆体を得るハニカム構造体成形用口金の製造方法。
【手続補正４】
【補正対象書類名】明細書
【補正対象項目名】００１５
【補正方法】変更
【補正の内容】
【００１５】
［９］前記第一部材と前記第二部材とを前記少なくとも一つの相変態を開始する温度まで降温する際の降温速度が、０．１〜１００℃／ｍｉｎである前記［８］に記載のハニカム構造体成形用口金の製造方法。
【手続補正５】
【補正対象書類名】明細書
【補正対象項目名】００１６
【補正方法】変更
【補正の内容】
【００１６】
［１０］得られた前記口金前駆体に、前記接合面に残留する引張、及び圧縮応力が５００ＭＰａ以下となるように、オーステナイト変態を起こす温度以下の温度領域で、０．１〜１００℃／ｍｉｎの速度で昇温又は冷却する再熱処理を、さらに行う前記［８］又は［９］に記載のハニカム構造体成形用口金の製造方法。
【手続補正６】
【補正対象書類名】明細書
【補正対象項目名】００１７
【補正方法】変更
【補正の内容】
【００１７】
［１１］前記第一部材と前記第二部材とを積層する際に、その間に箔状のろう材を配設する前記［８］〜［１０］のいずれかに記載のハニカム構造体成形用口金の製造方法。
［１２］前記ろう材として、前記第一部材と第二部材との少なくとも一方の組織の内部に浸透する材料からなるものを用いる前記［１１］に記載のハニカム構造体成形用口金の製造方法。
【手続補正７】
【補正対象書類名】明細書
【補正対象項目名】００１８
【補正方法】変更
【補正の内容】
【００１８】
［１３］前記第一部材と前記第二部材とを接合する前に、前記裏孔の少なくとも一部及び／又は前記スリットの一部を、前記第一部材と前記第二部材との少なくとも一方に形成する前記［８］〜［１２］のいずれかに記載のハニカム構造体成形用口金の製造方法。
【手続補正８】
【補正対象書類名】明細書
【補正対象項目名】００１９
【補正方法】変更
【補正の内容】
【００１９】
［１４］前記第一部材と前記第二部材とを積層して接合した前記口金前駆体を得た後に、前記第一部材側にスリットを形成するとともに、前記第二部材側に裏孔を形成する前記［８］〜［１２］のいずれかに記載のハニカム構造体成形用口金の製造方法。